(57)【要約】【課題】本考案は、譜面台に複数枚の楽譜を載せることができ、且つコンパクトに綴じることができる折り畳み式譜面カバーを提供することを目的とするものである。【解決手段】本考案は、左カバーと前記左カバーの右側に連設された左中片との間を谷折りにし、前記左中片と前記左中片の右側に連設された右中片との間を山折りにし、前記右中片と前記右中片の右側に連設された右カバーとの間を谷折りにして、前記左中片及び右中片を前記左カバーと右カバーの間に挟み込んだ開閉可能な譜面カバーであり、左中片及び右中片を拡げた際に載置可能な楽譜の枚数を増やすことができることを特徴とする折り畳み式譜面カバーの構成とした。【選択図】図１０
0003134463.tif 000002
【実用新案登録請求の範囲】
【請求項１】
左カバーと前記左カバーの右側に連設された左中片との間を谷折りにし、前記左中片と前記左中片の右側に連設された右中片との間を山折りにし、前記右中片と前記右中片の右側に連設された右カバーとの間を谷折りにして、前記左中片及び右中片を前記左カバーと右カバーの間に挟み込んだ開閉可能な譜面カバーであり、左中片及び右中片を拡げた際に載置可能な楽譜の枚数を増やすことができることを特徴とする折り畳み式譜面カバー。
【請求項２】
左中片及び右中片の裏側に面ファスナーを設け、前記左中片と右中片を貼付又は剥離できるようにしたことを特徴とする請求項１に記載の折り畳み式譜面カバー。
【請求項３】
左カバー及び右カバーの下側に楽譜を留めるポケットを設けたことを特徴とする請求項１又は２に記載の折り畳み式譜面カバー。
【考案の詳細な説明】
【技術分野】
【０００１】
本考案は、譜面台に複数枚の楽譜を載せることができ、且つコンパクトに綴じることができる折り畳み式譜面カバーに関するものである。
【背景技術】
【０００２】
楽器を演奏又は練習する際は、楽譜を譜面台に載せて行うことが多い。図１４は、従来の譜面台の図である。譜面台６ａは、楽譜を載せる載置台と、載置台の高さを調整する支軸と、全体を支える３本程度の脚とからなる。
【０００３】
垂直な支軸から載置台が演奏者側に傾斜して設置され、載置台の下端が突出して楽譜が落ちないように支える。尚、載置台は折り畳んで収納できるように枠体で構成する場合もある。載置台の左側と右側にＡ４サイズの楽譜を１枚ずつ載せることができる。
【０００４】
特許文献１に記載されているように、表紙を内側に折り畳むことができるリング式ファイルに、再剥離可能な粘着剤を塗布した細長いシートを用いることで、楽譜を貼ったり剥がすことができる４ページ見開き譜面ファイルの考案も公開されている。
【特許文献１】実用新案登録第３１０６４７４号公報
【考案の開示】
【考案が解決しようとする課題】
【０００５】
しかしながら、特許文献１に記載の考案は、楽譜を粘着剤に貼ったり剥がしたりするので、楽譜を傷める可能性があるし、繰り返し貼ったり剥がすことで、粘着力も落ちてしまう。また、リング式ファイルであるため、ファイルを閉じた際の厚みが大きい。
【０００６】
そこで、本考案は、譜面台に複数枚の楽譜を載せることができ、且つコンパクトに綴じることができる折り畳み式譜面カバーを提供することを目的とするものである。
【課題を解決するための手段】
【０００７】
本考案は、上記の課題を解決するために、左カバー２と前記左カバー２の右側に連設された左中片２ａとの間を谷折りにし、前記左中片２ａと前記左中片２ａの右側に連設された右中片３ａとの間を山折りにし、前記右中片３ａと前記右中片３ａの右側に連設された右カバー３との間を谷折りにして、前記左中片２ａ及び右中片３ａを前記左カバー２と右カバー３の間に挟み込んだ開閉可能な譜面カバーであり、左中片２ａ及び右中片３ａを拡げた際に載置可能な楽譜６の枚数を増やすことができることを特徴とする折り畳み式譜面カバー１の構成とした。
【考案の効果】
【０００８】
本考案は、左右中片を折り込んだ状態であれば、Ａ４サイズの楽譜を２枚置くのに適した大きさとなり、左右中片を拡げれば、楽譜を３枚置くのに適した大きさとなる。Ａ４より大きめの輸入楽譜でも譜面カバー内に収めることができる。
【０００９】
楽譜が譜面カバー内に収まるので、譜面台の両端から垂れることなく、水平にバランスを保つことができる。譜面を譜面台から落とすことはなくなり、譜面も常に見やすい状態にすることができる。
【００１０】
左右中片を拡げた状態にすれば、Ａ４サイズの楽譜を４枚置くことも可能であり、譜めくりの手間が省ける。譜めくりをする回数が減れば、音楽をスムーズに演奏することができるようになる。
【００１１】
楽譜の枚数が少なければ、楽譜以外のものを置くスペースとなる。例えば、メモ用紙などを置くこともでき、譜面カバーを台紙として利用すれば、演奏又は練習中に気付いたことなどを書き留めておくことができる。
【００１２】
舞台などで楽器を演奏する際は、譜面台に楽譜を置いただけであると、舞台照明で楽譜が客席側に透けてしまうので、譜面カバーを介すことで、舞台上での見た目も向上する。また、譜面カバーが光を遮断するので、演奏者も楽譜が見やすくなる。
【考案を実施するための最良の形態】
【００１３】
本考案は、譜面台に複数枚の楽譜を載せることができ、且つコンパクトに綴じることができるようにするという目的を、左カバーと前記左カバーの右側に連設された左中片との間を谷折りにし、前記左中片と前記左中片の右側に連設された右中片との間を山折りにし、前記右中片と前記右中片の右側に連設された右カバーとの間を谷折りにして、前記左中片及び右中片を前記左カバーと右カバーの間に挟み込んだ開閉可能な譜面カバーとすることで実現した。
【実施例１】
【００１４】
以下に、添付図面に基づいて、本考案である折り畳み式譜面カバーについて詳細に説明する。図１は、本考案である折り畳み式譜面カバーの斜視図であり、図２は、本考案である折り畳み式譜面カバーの正面図である。
【００１５】
折り畳み式譜面カバー１は、左カバー２と前記左カバー２の右側に連設された左中片２ａとの間を谷折りにし、前記左中片２ａと前記左中片２ａの右側に連設された右中片３ａとの間を山折りにし、前記右中片３ａと前記右中片３ａの右側に連設された右カバー３との間を谷折りにして、前記左中片２ａ及び右中片３ａを前記左カバー２と右カバー３の間に挟み込んだ開閉可能な譜面カバーであり、左中片２ａ及び右中片３ａを拡げた際に載置可能な楽譜６の枚数を増やすことができることを特徴とする。
【００１６】
折り畳み式譜面カバー１は、左カバー２、右カバー３、左中片２ａ及び右中片３ａからなる。湾曲しない程度の硬さを有する薄い素材、例えば、厚紙、プラスチック又は皮革等を使用し、黒色など透明でないものが好ましい。
【００１７】
左カバー２、右カバー３、左中片２ａ及び右中片３ａの４つのパーツを製本テープ等で貼り合わせて作成するが、横長の長方形の素材に対し、縦に３箇所の折り目を付けて、左カバー２、右カバー３、左中片２ａ及び右中片３ａを生成しても良い。
【００１８】
左カバー２と右カバー３は、同じサイズの四角形であり、それぞれ余裕を持って楽譜１枚を収めることができる大きさである。左中片２ａと右中片３ａも、同じサイズの四角形であるが、左カバー２及び右カバー３に比べ、幅は小さくする。
【００１９】
ただし、左カバー２、右カバー３、左中片２ａ及び右中片３ａを繋げた際に、楽譜３枚をはみ出さずに載せることができる大きさとする。
【００２０】
左カバー２の右端と左中片２ａの左端とを連結し、左折り目４ａとする。これにより、左カバー２は左折り目４ａを軸として回動可能となる。尚、左テープ５ａで留める際は、谷折りしやすいように表側から貼る。
【００２１】
右カバー３の左端と右中片３ａの右端とを連結し、右折り目４ｂとする。これにより、右カバー３は右折り目４ｂを軸として回動可能となる。尚、右テープ５ｂで留める際は、谷折りしやすいように表側から貼る。
【００２２】
左中片２ａの右端と右中片３ａの左端とを連結し、中折り目４とする。尚、中テープ５で留める際は、山折りしやすいように裏側から貼る。
【００２３】
中折り目４を山折りにし、左折り目４ａ及び右折り目４ｂを谷折りにして、山状になった左中片２ａと右中片３ａの裏面同士を合わせることで畳むことができる。
【００２４】
この状態から左中片２ａ及び右中片３ａを左カバー２側又は右カバー３側のいずれかに回動させて倒すことができる。さらに、左カバー２又は右カバー３を回動させて表面同士を合わせれば閉じることができる。
【００２５】
左中片２ａ及び右中片３ａが内側に挟まれた状態で閉じられる。この時、全体の厚さは、最も厚い部分でも、左カバー２、右カバー３、左中片２ａ及び右中片３ａが重なった箇所であり、非常に薄い。
【００２６】
以下に、折り畳み式譜面カバー１のサイズの例を示す。ただし、楽譜その他折り畳み式譜面カバー１に置く用紙等の大きさに応じて、寸法は適宜変更することができる。
【００２７】
縦の長さを約３２センチメートル、左カバー２の幅及び右カバー３の幅を約２４センチメートル、左中片２ａの幅及び右中片３ａの幅を約８センチメートルとすると、左中片２ａ及び右中片３ａを折り込んだ時の左カバー２と右カバー３の幅は約４８センチメートルであり、Ａ４サイズの楽譜を２枚置くのに適する。
【００２８】
また、左中片２ａ及び右中片３ａを拡げた時の全体の幅は約６４センチメートルであり、Ａ４サイズの楽譜を３枚置くのに適する。尚、Ａ４より大きめの輸入楽譜の場合でも、はみ出すことなく置くことができる。
【００２９】
図３は、本考案である折り畳み式譜面カバーの折り畳んだ状態の平面図であり、図４は、本考案である折り畳み式譜面カバーの開いた状態の平面図であり、図５は、本考案である折り畳み式譜面カバーの拡げた状態の平面図であり、図６は、本考案である折り畳み式譜面カバーの裏返した状態の平面図である。
【００３０】
図３に示すように、左カバー２の裏面を表にした状態から、左カバー２を開くと、図４に示すように、左中片２ａ及び右中片３ａが右カバー３側に倒れた状態で現れる。
【００３１】
この状態から左中片２ａ及び右中片３ａを立てて、左カバー２を左方向に引き、右カバー３を右方向に引いて拡げると、中折り目４、左折り目４ａ及び右折り目４ｂが全て延び、図５又は図６に示すように、さらに載置スペースは広くなる。
【００３２】
図７は、本考案である折り畳み式譜面カバーの開いた状態で譜面を２枚置いた図であり、図８は、本考案である折り畳み式譜面カバーの拡げた状態で譜面を３枚置いた図であり、図９は、本考案である折り畳み式譜面カバーの拡げた状態で譜面を４枚置いた図である。
【００３３】
図７に示すように、左中片２ａ及び右中片３ａを折り畳んだ状態においては、左カバー２の上に楽譜を１枚、左中片２ａ及び右カバー３の上に楽譜を１枚、合計２枚の楽譜を載せることができる。
【００３４】
図８に示すように、左中片２ａ及び右中片３ａを拡げると、左カバー２の上に楽譜を１枚、左中片２ａ及び右中片３ａの上に楽譜を１枚、右カバー３の上に楽譜を１枚、合計３枚の楽譜を載せることができる。
【００３５】
図９に示すように、左中片２ａ及び右中片３ａを拡げた状態においては、左端及び右端から楽譜がはみ出してしまうものの、４枚の楽譜を載せることも可能である。尚、はみ出さないサイズで譜面カバーを作成すれば問題はない。
【００３６】
図１０は、本考案である折り畳み式譜面カバーの拡げた状態で譜面台に載せた図である。折り畳み式譜面カバー１を拡げた状態で楽譜６を３枚置き、譜面台６ａに載せた状態である。
【００３７】
演奏者は一度に３枚の楽譜を見ることができるので、譜めくりの回数が減り、演奏時の手間が軽減される。また、楽譜６を水平に並べることができ、両端から垂れないので、非常に見やすい。
【００３８】
譜面台６ａが枠体で形成されていると、照明等の光が透過する可能性があるが、折り畳み式譜面カバー１を設置することで、光を遮断することが可能である。客席側に楽譜が透けることもないし、舞台上での見た目も良いものとなる。
【実施例２】
【００３９】
折り畳み式譜面カバー１は、楽器の演奏時は譜面台に設置して使用するが、合唱時には手で持って使用することもできる。
【００４０】
図１１は、本考案である折り畳み式譜面カバーの中片に面ファスナーを取り付けた場合の図である。
【００４１】
合唱用として使用する場合は、折り畳み式譜面カバー１を拡げると大き過ぎて、逆に使いづらくなる可能性があるため、左中片２ａ及び右中片３ａを折り畳んだ状態で使用することが好ましい。
【００４２】
ただ、左カバー２及び右カバー３を手で持って使用すると、意図せずに左中片２ａ及び右中片３ａが開いてしまう場合があるため、左中片２ａと右中片３ａとを貼着し、開かないようにする。
【００４３】
左中片２ａの裏側と右中片３ａの裏側にマジックテープ（登録商標）等の面ファスナー２ｂ、３ｂを設け、左中片２ａと右中片３ａとを貼付又は剥離することが出来るようにすれば、非常に使いやすくなる。
【００４４】
尚、面ファスナー２ｂ、３ｂのサイズや位置は自由であり、上部と下部に短いものを設ければ剥離時の雑音を小さくすることができる。また、面ファスナー２ｂ、３ｂの代わりに粘着性のあるテープなど複数回接着できる素材を用いることも可能である。
【００４５】
図１２は、本考案である折り畳み式譜面カバーの下側両端にポケットを設けた場合の図である。
【００４６】
譜面台に設置して使用する場合は、載置台の下端が突出しており、傾斜させて楽譜等を置くことができたが、合唱用として使用する場合は、手以外に楽譜等を支えるものが存在しない。
【００４７】
そこで、左カバー２の左下に左端ポケット２ｃ、左カバー２の右下に左中ポケット２ｄを設けて、左カバー２内に置く楽譜等を固定する。
【００４８】
また、右カバー３の右下に右端ポケット３ｃ、右カバー３の左下に右中ポケット３ｄを設けて、右カバー３内に置く楽譜等を固定する。尚、左中片２ａ及び右中片３ａを右カバー３側に倒している場合は、左中片２ａに右中ポケット３ｄを設ける。
【００４９】
ポケット２ｃ、２ｄ、３ｃ、３ｄは、三角形状のビニール等を斜辺が中心を向くように取り付け、斜辺に楽譜等の角を差し込むようにしても良いし、弾性のあるバンド等を斜めに取り付け、楽譜等の角を押さえるようにしても良い。
【００５０】
図１３は、本考案である折り畳み式譜面カバーの手に持って譜面を見る場合の図である。折り畳み式譜面カバー１内に楽譜等を固定することができるので、合唱用としても使いやすいものとなる。
【００５１】
尚、左カバー２のポケット２ｃと右カバー３のポケット３ｃを用いて、Ａ３サイズ（Ａ４サイズの冊子を見開きにした状態）の場合でも固定することができ、様々な大きさの楽譜等に対応することが可能である。
【００５２】
以上のように、本考案は、左右中片を折り込んだ状態であれば、Ａ４サイズの楽譜を２枚置くのに適した大きさとなり、左右中片を拡げれば、楽譜を３枚置くのに適した大きさとなる。Ａ４より大きめの輸入楽譜でも譜面カバー内に収めることができる。
【００５３】
楽譜が譜面カバー内に収まるので、譜面台の両端から垂れることなく、水平にバランスを保つことができる。譜面を譜面台から落とすことはなくなり、譜面も常に見やすい状態にすることができる。
【００５４】
左右中片を拡げた状態にすれば、Ａ４サイズの楽譜を４枚置くことも可能であり、譜めくりの手間が省ける。譜めくりをする回数が減れば、音楽をスムーズに演奏することができるようになる。
【００５５】
楽譜の枚数が少なければ、楽譜以外のものを置くスペースとなる。例えば、メモ用紙などを置くこともでき、譜面カバーを台紙として利用すれば、演奏又は練習中に気付いたことなどを書き留めておくことができる。
【００５６】
舞台などで楽器を演奏する際は、譜面台に楽譜を置いただけであると、舞台照明で楽譜が客席側に透けてしまうので、譜面カバーを介すことで、舞台上での見た目も向上する。また、譜面カバーが光を遮断するので、演奏者も楽譜が見やすくなる。
【図面の簡単な説明】
【００５７】
【図１】本考案である折り畳み式譜面カバーの斜視図である。
【図２】本考案である折り畳み式譜面カバーの正面図である。
【図３】本考案である折り畳み式譜面カバーの折り畳んだ状態の平面図である。
【図４】本考案である折り畳み式譜面カバーの開いた状態の平面図である。
【図５】本考案である折り畳み式譜面カバーの拡げた状態の平面図である。
【図６】本考案である折り畳み式譜面カバーの裏返した状態の平面図である。
【図７】本考案である折り畳み式譜面カバーの開いた状態で譜面を２枚置いた図である。
【図８】本考案である折り畳み式譜面カバーの拡げた状態で譜面を３枚置いた図である。
【図９】本考案である折り畳み式譜面カバーの拡げた状態で譜面を４枚置いた図である。
【図１０】本考案である折り畳み式譜面カバーの拡げた状態で譜面台に載せた図である。
【図１１】本考案である折り畳み式譜面カバーの中片に面ファスナーを取り付けた場合の図である。
【図１２】本考案である折り畳み式譜面カバーの下側両端にポケットを設けた場合の図である。
【図１３】本考案である折り畳み式譜面カバーの手に持って譜面を見る場合の図である。
【図１４】従来の譜面台の図である。
【符号の説明】
【００５８】
１        折り畳み式譜面カバー
２        左カバー
２ａ      左中片
２ｂ      左面ファスナー
２ｃ      左端ポケット
２ｄ      左中ポケット
３        右カバー
３ａ      右中片
３ｂ      右面ファスナー
３ｃ      右端ポケット
３ｄ      右中ポケット
４        中折り目
４ａ      左折り目
４ｂ      右折り目
５        中テープ
５ａ      左テープ
５ｂ      右テープ
６        楽譜
６ａ      譜面台
【図１】
0003134463.tif 000003
【図２】
0003134463.tif 000004
【図３】
0003134463.tif 000005
【図４】
0003134463.tif 000006
【図５】
0003134463.tif 000007
【図６】
0003134463.tif 000008
【図７】
0003134463.tif 000009
【図８】
0003134463.tif 000010
【図９】
0003134463.tif 000011
【図１０】
0003134463.tif 000012
【図１１】
0003134463.tif 000013
【図１２】
0003134463.tif 000014
【図１３】
0003134463.tif 000015
【図１４】
0003134463.tif 000016